(57)【要約】【課題】清掃に手数を要することなく、便器本体のほか、便座及び蓋体や周辺の床を飛散する小便で汚さないようにすることができる洋式便器の小便飛散防止装置を提供すること。【解決手段】洋式便器の便座２の中間部２Ａに、便座２を上げた状態で便器本体１の側部内周縁部１１に向けて流体を噴射することによって、便器本体１の左右両側の上方に小便の飛散防止流体膜を形成する流体噴射ノズル４ａを、便座２の前端部２Ｂに、便座２を上げた状態で便器本体１の後端部内周縁部１２に向けて流体を噴射することによって、便器本体１の後端側の上方に小便の飛散防止流体膜を形成する流体噴射ノズル４ｂを、それぞれ配設する。【選択図】図１
2014168491.tif 000002
【特許請求の範囲】
【請求項１】
洋式便器の便座の中間部に、便座を上げた状態で便器本体の側部内周縁部に向けて流体を噴射することによって、便器本体の左右両側の上方に小便の飛散防止流体膜を形成する流体噴射ノズルを配設したことを特徴とする洋式便器の小便飛散防止装置。
【請求項２】
便座の前端部に、便座を上げた状態で便器本体の後端部内周縁部に向けて流体を噴射することによって、便器本体の後端側の上方に小便の飛散防止流体膜を形成する流体噴射ノズルを配設したことを特徴とする請求項１記載の洋式便器の小便飛散防止装置。
【請求項３】
便器本体の左右両側の上方に小便の飛散防止流体膜を形成する流体噴射ノズルを、便座に対して可動に設けたことを特徴とする請求項１又は２記載の洋式便器の小便飛散防止装置。
【発明の詳細な説明】
【技術分野】
【０００１】
本発明は、洋式便器で男性が小用する際に用いる小便飛散防止装置に関するものである。
【背景技術】
【０００２】
一般家庭や飲食店のトイレ等においては、洋式便器を男女兼用で設置するところが多くなっている。この洋式便器は、腰掛けて用がたせる高さに形成されており、便器本体上面に起伏動自在に取付けた便座を倒せば便座上に腰掛けて用がたせ、男性の小用時は、便座を起こせば立った姿勢で用がたせるようになっている。
【０００３】
ところで、上記洋式便器で男性が立った姿勢で用をたすと、立ち位置が便器本体と離れているので、便器本体の開口部より外側に小便が飛散しやすく、便器本体や周辺の床を汚したり、便座及び蓋体を汚してしまうことがあった。このため、後から使用する人は不快であり、便座が汚れている場合には、腰掛けて用がたせないということがあった。
【０００４】
これらの問題を解決するために、男性が小用する際、便器本体及び便座や周辺の床を飛散する小便で汚さないようにするための小便飛散防止装置を洋式便器に付設することが提案されている（例えば、特許文献１〜２参照。）。
【先行技術文献】
【特許文献】
【０００５】
【特許文献１】特開２０１０−１９６４５７号公報
【特許文献２】実開平５−９６１７６号公報
【発明の概要】
【発明が解決しようとする課題】
【０００６】
しかしながら、従来の小便飛散防止装置は、小便飛散防止装置に小便がかかり、小便飛散防止装置の清掃に手数を要するだけでなく、頻繁に清掃をしないとかえって不衛生になるという問題があった。
【０００７】
本発明は、上記従来の小便飛散防止装置の有する問題点に鑑み、清掃に手数を要することなく、便器本体のほか、便座及び蓋体や周辺の床を飛散する小便で汚さないようにすることができる洋式便器の小便飛散防止装置を提供することを目的とする。
【課題を解決するための手段】
【０００８】
上記目的を達成するため、本発明の洋式便器の小便飛散防止装置は、洋式便器の便座の中間部に、便座を上げた状態で便器本体の側部内周縁部に向けて流体を噴射することによって、便器本体の左右両側の上方に小便の飛散防止流体膜を形成する流体噴射ノズルを配設したことを特徴とする。
【０００９】
この場合において、さらに、便座の前端部に、便座を上げた状態で便器本体の後端部内周縁部に向けて流体を噴射することによって、便器本体の後端側の上方に小便の飛散防止流体膜を形成する流体噴射ノズルを配設することができる。
【００１０】
また、便器本体の左右両側の上方に小便の飛散防止流体膜を形成する流体噴射ノズルを、便座に対して可動に設けることができる。
【発明の効果】
【００１１】
本発明の洋式便器の小便飛散防止装置によれば、便座を上げた状態で、便座の中間部に配設した流体噴射ノズルから便器本体の側部内周縁部に向けて流体を噴射することにより、便器本体の左右両側の上方に形成される小便の飛散防止流体膜によって、便器本体や周辺の床を飛散する小便で汚さないようにすることができる。
また、この小便飛散防止装置は、小便の飛散防止流体膜によって、小便の飛散を防止するものであることから、従来の小便飛散防止装置のように、小便飛散防止装置に小便がかかり、小便飛散防止装置の清掃に手数を要したり、頻繁に清掃をしないとかえって不衛生になることがなく、通常の洋式便器と同様の清掃で足りる。
【００１２】
また、便座を上げた状態で、便座の前端部に配設した流体噴射ノズルから便器本体の後端部内周縁部に向けて流体を噴射することにより、便器本体の後端側の上方に形成される小便の飛散防止流体膜によって、便座及び蓋体を飛散する小便で汚さないようにすることができる。
【００１３】
また、便器本体の左右両側の上方に小便の飛散防止流体膜を形成する流体噴射ノズルを、便座に対して可動に設けることにより、流体噴射ノズルから噴射された流体が拡散せずに便器本体の側部内周縁部に到達するため、便器本体の左右両側の上方に小便の飛散防止流体膜を確実に形成することができ、これによって、便器本体や周辺の床を飛散する小便で汚さないようにすることができる。
【図面の簡単な説明】
【００１４】
【図１】本発明の洋式便器の小便飛散防止装置の第１実施例を示し、（ａ）は蓋体及び便座を上げた状態の正面図、（ｂ）は同側面図である。
【図２】同平面図である。
【図３】本発明の洋式便器の小便飛散防止装置の第２実施例を示す蓋体及び便座を上げた状態の側面図である。
【図４】本発明の洋式便器の小便飛散防止装置の第３実施例を示し、（ａ）は蓋体及び便座を上げた状態の平面図、（ｂ）は同側面図である。
【発明を実施するための形態】
【００１５】
以下、本発明の洋式便器の小便飛散防止装置の実施の形態を、図面に基づいて説明する。
【００１６】
図１〜図２に、本発明の洋式便器の小便飛散防止装置の第１実施例を示す。
この洋式便器の小便飛散防止装置は、洋式便器の便座２の中間部２Ａの裏面に、便座２を上げた状態で便器本体１の側部内周縁部１１に向けて流体を噴射することによって、便器本体１の左右両側の上方に小便の飛散防止流体膜（図において矢印で表示。）を形成する流体噴射ノズル４ａを、便座２の前端部２Ｂの裏面に、便座２を上げた状態で便器本体１の後端部内周縁部１２に向けて流体を噴射することによって、便器本体１の後端側の上方に小便の飛散防止流体膜（図において矢印で表示。）を形成する流体噴射ノズル４ｂを、それぞれ配設するようにしている。
【００１７】
この場合において、流体噴射ノズル４ａ、４ｂから噴射する流体には、気体（空気）のほか、液体（水）、さらには、気体（空気）と液体（水）の混合流体を用いることができる。
気体（空気）の供給源としては、ファンやコンプレッサを使用することができ、液体（水）の供給源としては、水道やタンクに貯留した液体（水）をポンプを用いて供給することができる。
【００１８】
流体噴射ノズル４ａ、４ｂは、独立した多数のノズルを列状に配設するようにしたり（図は簡略記載。）、スリット状に形成したりすることにより、流体噴射ノズル４ａ、４ｂから噴射された流体が指向性を持って膜状に広がるようにしている。
【００１９】
流体噴射ノズル４ａ、４ｂからの流体の噴射制御は、人が用をたす際に流体を噴射する制御スイッチ（図示省略）を操作するようにするほか、便座２が上げられた状態、さらには、用をたす人の有無を自動的に感知して、流体を噴射するようにすることもできる。
【００２０】
この洋式便器の小便飛散防止装置は、便座２を上げた状態で、便座２の中間部２Ａに配設した流体噴射ノズル４ａから便器本体１の側部内周縁部１１に向けて流体を噴射することにより、便器本体１の左右両側の上方に形成される小便の飛散防止流体膜によって、便器本体１や周辺の床を飛散する小便で汚さないようにすることができる。
また、便座２の前端部２Ｂに配設した流体噴射ノズル４ｂから便器本体１の後端部内周縁部１２に向けて流体を噴射することにより、便器本体１の後端側の上方に形成される小便の飛散防止流体膜によって、便座２及び蓋体３を飛散する小便で汚さないようにすることができる。
また、この洋式便器の小便飛散防止装置は、小便の飛散防止流体膜によって、小便の飛散を防止するものであることから、特許文献１〜２に記載された従来の小便飛散防止装置のように、小便飛散防止装置に小便がかかり、小便飛散防止装置の清掃に手数を要したり、頻繁に清掃をしないとかえって不衛生になることがなく、通常の洋式便器と同様の清掃で足りる。
【００２１】
ところで、上記第１実施例の洋式便器の小便飛散防止装置においては、便座２の中間部２Ａの裏面に便器本体１の左右両側の上方に小便の飛散防止流体膜を形成する流体噴射ノズル４ａを直接形成するようにしたが、図３に示す本発明の洋式便器の小便飛散防止装置の第２実施例及び図４に示す本発明の洋式便器の小便飛散防止装置の第３実施例のように、便器本体１の左右両側の上方に小便の飛散防止流体膜を形成する流体噴射ノズル４ａを形成した流体噴射ノズル形成部４Ａを、便座２に対して可動に設ける、具体的には、便座２を上げたときに、流体噴射ノズル形成部４Ａが、便座２から分離して途中で止まり、便器本体１の左右両側の上方に、傾斜して（第２実施例）又は水平に（第３実施例）位置するようにすることができる。
これにより、流体噴射ノズル４ａから噴射された流体が拡散せずに便器本体１の側部内周縁部１１に到達するため、便器本体１の左右両側の上方に小便の飛散防止流体膜を確実に形成することができ、これによって、便器本体１や周辺の床を飛散する小便で汚さないようにすることができる。
【００２２】
以上、本発明の洋式便器の小便飛散防止装置について、複数の実施例に基づいて説明したが、本発明は上記実施例に記載した構成に限定されるものではなく、その趣旨を逸脱しない範囲において適宜その構成を変更することができるものである。
【産業上の利用可能性】
【００２３】
本発明の洋式便器の小便飛散防止装置は、清掃に手数を要することなく、便器本体のほか、便座及び蓋体や周辺の床を飛散する小便で汚さないようにすることができるという特性を有していることから、一般家庭や飲食店のトイレ等における男女兼用で設置される洋式便器に好適に用いることができる。
【符号の説明】
【００２４】
１  便器本体
１１  側部内周縁部
１２  後端部内周縁部
２  便座
２Ａ  便座の中間部
２Ｂ  便座の前端部
３  蓋部
４ａ  流体噴射ノズル
４ｂ  流体噴射ノズル
４Ａ  流体噴射ノズル形成部
【図１】
2014168491.tif 000003
【図２】
2014168491.tif 000004
【図３】
2014168491.tif 000005
【図４】
2014168491.tif 000006